(57)【特許請求の範囲】
【請求項１】
四隅を曲線状に切り欠いた略長方形の少なくとも２枚のタオル生地を重ね合わせて、該タオル生地の幅方向に所定間隔で長手方向に縫い合わせることにより複数の縫合部を設け、該タオル生地の間に長手方向に延びて両端に開口する複数の隙間を設けたタオル本体と、
該タオル本体の一端側の２箇所の開口から各隙間内に紐状体の両端部を該タオル本体の長手方向の中央より他端側寄りの所定位置まで挿入して該両端部を該タオル本体に固定することにより略Ｕ字状に配置された第１把持部と、
該タオル本体の他端側の２箇所の開口から前記各隙間と異なる隙間内に紐状体の両端部を該タオル本体の長手方向の中央より一端側寄りの所定位置まで挿入して該両端部を該タオル本体に固定することにより略Ｕ字状に配置された第２把持部と
を備えたことを特徴とするタオル。
【請求項２】
前記請求項１に記載のタオルにおいて、
前記第１把持部の両端部を前記タオル本体の他端側の近傍位置に固定すると共に、前記第２把持部の両端部を前記タオル本体の一端側の近傍位置に固定した
ことを特徴とするタオル。
【請求項３】
四隅を曲線状に切り欠いた略長方形の少なくとも２枚のタオル生地を重ね合わせて、該タオル生地の幅方向に両側を含めて所定間隔で長手方向に縫い合わせることにより９個の縫合部を設け、該タオル生地の間に長手方向に延びて両端に開口する８個の隙間を設けたタオル本体と、
該タオル本体の一端側の２箇所の開口から各隙間内に紐状体の両端部を該タオル本体の長手方向中央から他端側寄りの第１位置まで挿入して該両端部を該タオル本体に固定することにより略Ｕ字状に配置された第１把持部と、
該タオル本体の一端側の他の２箇所の開口から各隙間内に紐状体の両端部を該タオル本体の長手方向中央から一端側寄りの第２位置まで挿入して該両端部を該タオル本体に固定することにより略Ｕ字状に配置された第２把持部と、
該タオル本体の他端側の２箇所の開口から前記４箇所の隙間以外の各隙間内に紐状体の両端部を該タオル本体の前記第１位置から長手方向の中央寄りの第３位置まで挿入して該両端部を該タオル本体に固定することにより略Ｕ字状に配置された第３把持部と、
該タオル本体の他端側の他の２箇所の開口から前記６箇所の隙間以外の各隙間内に紐状体の両端部を該タオル本体の前記第２位置から長手方向一端側寄りの第４位置まで挿入して該両端部を該タオル本体に固定することにより略Ｕ字状に配置された第４把持部と
を備えたことを特徴とするタオル。
【発明の詳細な説明】
【０００１】
【発明の属する技術分野】
本発明は、タオルに関する。
【０００２】
【従来の技術】
従来のタオルとしては、長方形の布製のものが用いられている。このタオルを用いて、例えば入浴時に手の届かない背中を洗う場合、タオルを長手方向に細長く絞った状態でその両端を手で持って左右上下方向に移動させることにより行われている。
【０００３】
【発明が解決しようとする課題】
ところで、上記タオルにおいては、四隅が尖っているためにタオルに含まれた石鹸液や泡等が四隅に溜り、洗浄時に四隅から周囲に石鹸液等が飛び散り易かった。そのため、飛び散った石鹸液等が浴室の壁に付着して壁を汚したり、浴槽中の湯を濁したりするという問題があった。
また、長手方向に細長く絞られたタオルは表面に凹凸がないため、肩甲骨の間等の凹んだ部分にはタオルの表面は接触しにくく汚れが残り易かった。
本発明は上記した問題を解決しようとするもので、洗浄時に石鹸液等が周囲に飛び散りにくくすると共に、背中の凹部等を含む全体をむらなく洗うことができるタオルを提供することを目的とする。
【０００４】
【課題を解決するための手段及び発明の効果】
上記目的を達成するために上記請求項１に記載された発明の構成上の特徴は、タオルにおいて、四隅を曲線状に切り欠いた略長方形の少なくとも２枚のタオル生地を重ね合わせて、タオル生地の幅方向に所定間隔で長手方向に縫い合わせることにより複数の縫合部を設け、タオル生地の間に長手方向に延びて両端に開口する複数の隙間を設けたタオル本体と、タオル本体の一端側の２箇所の開口から各隙間内に紐状体の両端部をタオル本体の長手方向の中央より他端側寄りの所定位置まで挿入して両端部をタオル本体に固定することにより略Ｕ字状に配置された第１把持部と、タオル本体の他端側の２箇所の開口から各隙間と異なる隙間内に紐状体の両端部をタオル本体の長手方向の中央より一端側寄りの所定位置まで挿入して両端部をタオル本体に固定することにより略Ｕ字状に配置された第２把持部とを備えたことにある。
【０００５】
上記のように構成した請求項１の発明においては、タオルの四隅の縁部が曲線状になっており、角状部分がないため、タオルの両端を手で持って背中等を洗う場合にタオルに含まれた石鹸液等がタオルの四隅に集中しにくく、そのため、石鹸液等の周囲への飛散が抑えられる。
その結果、浴室の壁を汚したり、浴槽中の湯を濁したりする不具合を抑制することができ、浴室の掃除が非常に楽になる。
また、タオル生地の四隅が曲線状になっているため、デザイン的に斬新であり、商品価値が高められ、色、柄、素材等を目安にタオルを購入していた場合に比べ消費者の選択の幅が広げられる。
【０００６】
また、上記のように構成した請求項１の発明においては、第１及び第２把持部をそれぞれ長手方向の外側へ引っ張った場合、第１把持部の両端部はタオル本体の一端側に引っ張られると共に第２把持部の両端部はタオル本体の他端側に引っ張られることで、それぞれの両端部の間のタオル生地は長手方向の中央に寄せ集められて塊となり、タオル生地の表面から膨出した状態となる。そして、この状態でタオルを背中の左右上下方向に移動させて擦り合わせることにより、膨出部分が背中の凹んだ部分にも接触する。
その結果、背中の凹んだ部分を含む全体をむらなく洗うことができる。
【０００７】
また、上記請求項２に記載された発明の構成上の特徴は、前記請求項１に記載のタオルにおいて、第１把持部の両端部をタオル本体の他端側の近傍位置に固定すると共に、第２把持部の両端部をタオル本体の一端側の近傍位置に固定したことにある。
【０００８】
上記のように構成した請求項２の発明においては、第１及び第２把持部をそれぞれ長手方向の外側へ引っ張ることで、第１把持部の両端部が固定されたタオル本体の他端側の近傍位置と、第２把持部の両端部が固定されたタオル本体の一端側の近傍位置の間に位置するタオル生地の略全体が長手方向の中央に寄せ集められて塊状となる。
その結果、上記請求項１の効果に加えて、大きく形成された塊部分を乾布摩擦に利用することができる。また、両把持部を引っ張ることにより、水気を含んだタオルを絞るのに利用することもでき、力の弱い人でも容易にタオルを絞ることができる。
【０００９】
また、上記請求項３に記載された発明の構成上の特徴は、タオルにおいて、四隅を曲線状に切り欠いた略長方形の少なくとも２枚のタオル生地を重ね合わせて、タオル生地の幅方向に両側を含めて所定間隔で長手方向に縫い合わせることにより９個の縫合部を設け、タオル生地の間に長手方向に延びて両端に開口する８個の隙間を設けたタオル本体と、タオル本体の一端側の２箇所の開口から各隙間内に紐状体の両端部をタオル本体の長手方向中央から他端側寄りの第１位置まで挿入して両端部をタオル本体に固定することにより略Ｕ字状に配置された第１把持部と、タオル本体の一端側の他の２箇所の開口から各隙間内に紐状体の両端部をタオル本体の長手方向中央から一端側寄りの第２位置まで挿入して両端部をタオル本体に固定することにより略Ｕ字状に配置された第２把持部と、タオル本体の他端側の２箇所の開口から４箇所の隙間以外の各隙間内に紐状体の両端部をタオル本体の第１位置から長手方向の中央寄りの第３位置まで挿入して両端部をタオル本体に固定することにより略Ｕ字状に配置された第３把持部と、タオル本体の他端側の他の２箇所の開口から６箇所の隙間以外の各隙間内に紐状体の両端部をタオル本体の第２位置から長手方向一端側寄りの第４位置まで挿入して両端部をタオル本体に固定することにより略Ｕ字状に配置された第４把持部とを備えたことにある。
【００１０】
上記のように構成した請求項３の発明においては、第１から第４の各把持部をそれぞれ長手方向の外側へ引っ張った場合、第１把持部の両端部及び第２把持部の両端部がタオル本体の一端側へ引っ張られると共に、第３把持部の両端部及び第４把持部の両端部がタオル本体の他端側へ引っ張られることで、第１把持部の両端部と第３把持部の両端部の間及び第２把持部の両端部と第４把持部の両端部の間のタオル生地はそれぞれ寄せ集められてタオルの表面に２箇所の凸部を形成する。そして、この状態でタオルを背中の左右上下方向に移動させて擦り合わせることにより、２箇所の膨出部分が背中の凹んだ部分にも接触する。
その結果、膨出部分が１箇所に設けられた場合と比べて背中の凹んだ部分を含む全体をよりむらなく洗うことができる。
【００１１】
また、タオルの四隅の縁部が曲線状になっており、角状部分がないため、長手方向の両端部を手で持って背中等を洗う場合に、タオルに含まれた石鹸液等の周囲への飛散が抑えられ、浴室の壁を汚したり、浴槽中の湯を濁したりする不具合を抑制することができる。また、タオル生地の四隅を曲線状としたことにより、デザインが斬新となり商品価値が高められる。
【００１２】
【発明の実施の形態】
以下、本発明の実施形態について図面を用いて説明すると、図１は、参考例であるタオルを平面図により示したものである。
このタオルは、長方形のタオル生地１０の四隅が円弧形状に切り取られることで、円孤状の縁部１１を設けている。このように、四隅が曲線状であって角形になっていないので、タオルの両端を手で持って背中等を洗う場合にタオルに含まれた石鹸液等がタオルの四隅に集中しにくく、これにより、石鹸液等が周囲へ飛び散りにくくなり、浴室の壁を汚したり、浴槽中の湯を濁したりする不具合を抑制することができる。そのため、浴室の掃除が非常に楽になる。
また、タオルの四隅の形状が従来のものと異なるため、デザイン的に斬新であり、商品価値が高められ、色、柄、素材等を目安にタオルを購入していた場合に比べ消費者の選択の幅が広げられる。
【００１３】
次に、参考例の変形例について説明する。変形例では、図２（ａ）〜（ｄ）に示すように、上記参考例に示したタオルを構成するタオル生地１０の縁部１１の形状を、単一の円弧ではなく２個以上の同一または異なる曲率半径を有する円弧を続けて設けるようにしたものである。これにより、消費者の興味を惹く様々な形状のタオルを提供することができる。
【００１４】
次に、第１の実施形態について説明する。第１の実施形態のタオルは、図３に示すように、上記タオル生地１０を２枚重ね合わせたもので、幅方向の両側を含んで等間隔で長手方向両端間が縫い合わされた５本の縫合部１４を設けており、両タオル生地１０の間には、長手方向に延びてタオル生地１０の一端部１２及び他端部１３に開口する４つの隙間１５が設けられている。隙間１５は、タオルの幅方向の一端部（図の上方）から順に第１隙間１５ａ、第２隙間１５ｂ、第３隙間１５ｃ、第４隙間１５ｄとなっている。
【００１５】
タオルの内部には、帯状で略Ｕ字形の第１把持部２０が埋設されている。第１把持部２０は、一対の長尺片部２１が、タオルの一端部１２側の開口から第１隙間１５ａ及び第３隙間１５ｃの内部に挿入されて先端部２１ａが長手方向中央から他端部１３側の所定位置に位置すると共に、両長尺片部２１の一端を連結する連結片部２２が一端部１２側の開口近傍に位置し、両長尺片部２１の先端部２１ａがタオル生地１０に縫い付けられている。
【００１６】
また、タオルの内部には、帯状で略Ｕ字形の第２把持部３０が埋設されている。第２把持部３０は、一対の長尺片部３１が、タオルの他端部１３側の開口から第２隙間１５ｂ及び第４隙間１５ｄの内部に挿入されて先端部３１ａが長手方向中央から一端部１２側の所定位置に位置すると共に、両長尺片部３１の一端を連結する連結片部３２が他端部１３側の開口近傍に位置し、両長尺片部３１の先端部３１ａがタオル生地１０に縫い付けられている。
【００１７】
以上のように構成した第１の実施形態においては、第１把持部２０の連結片部２２及び第２把持部３０の連結片部３２をそれぞれ長手方向の外側へ引っ張った場合、第１把持部２０の両先端部２１ａはタオル本体の一端部１２側に引っ張られると共に第２把持部３０の両先端部３１ａはタオル本体の他端部１３側に引っ張られる。これにより、それぞれの両先端部２１ａ、３１ａの間のタオル生地１０は、図４に示すように、長手方向の中央に寄せ集められて塊となってタオル生地１０の表面から膨出し、膨出部分Ａを形成する。そして、この状態でタオルを背中の左右上下方向に移動させて擦り合わせることにより、膨出部分Ａが背中の凹んだ部分にも接触する。そのため、背中の凹んだ部分を含む全体をむらなく洗うことができる。
【００１８】
また、タオルの四隅の縁部１１が曲線状になっており、角状部分がないため、一端部１２及び他端部１３を手で持って背中等を洗う場合に、タオルに含まれた石鹸液等の周囲への飛散が抑えられ、浴室の壁を汚したり、浴槽中の湯を濁したりする不具合を抑制することができる。また、タオル生地１０の四隅の縁部１１を曲線状としたことにより、デザインが斬新となり商品価値が高められる。
【００１９】
次に、第１の実施形態の変形例について説明する。変形例では、第１把持部２０の両先端部２１ａをタオルの他端部１３の近傍位置に延設して固定すると共に第２把持部３０の両先端部３１ａをタオルの一端部１２の近傍位置に延設して固定するようにした。これにより、第１把持部２０の連結片部２２及び第２把持部３０の連結片部３２をそれぞれ長手方向の外側へ引っ張ることで、図５に示すように、第１把持部２０の両先端部２１ａが固定されたタオル本体の他端部１３側と、第２把持部３０の両先端部３１ａが固定されたタオル本体の一端部１２側の間に位置するタオル生地１０の略全体が長手方向の中央に寄せ集められてタオルの表面に塊となり膨出部分を形成する。そのため、大きく形成された膨出部分を乾布摩擦に利用することもできる。また、両把持部を引っ張ることにより、水気を含んだタオルを絞るのに利用することもでき、力の弱い人でも容易にタオルを絞ることができる。
【００２０】
なお、上記第１の実施形態及び変形例に示したタオルについては、第１及び第２把持部２０、３０を略Ｕ字形状として各先端部２１ａ、３１ａを縫い付けているが、これに代えて、各把持部２０、３０の各一対の先端部２１ａ、３１ａの間を縫合部のうちの一部非縫合とされた部分を通って、幅方向に延びた連結片部で一体的に連結し、第１及び第２把持部２０、３０を全体として枠形状にすることができる。これにより、第１の実施形態及び変形例と同様の効果が得られる。
【００２１】
次に、第２の実施形態について説明する。第２の実施形態のタオルは、図６に示すように、上記タオル生地１０を２枚重ね合わせたもので、幅方向の両側を含んで等間隔で長手方向両側間が縫い合わされた９本の縫合部１８を設けており、両タオル生地１０の間には、長手方向に延びてタオル生地１０の一端部１２及び他端部１３に開口する８つの隙間１９が設けられている。隙間１９は、タオルの幅方向の一端部（図の上方）から順に第１隙間１９ａ、第２隙間１９ｂ、第３隙間１９ｃ、第４隙間１９ｄ、第５隙間１９ｅ、第６隙間１９ｆ、第７隙間１９ｇ、第８隙間１９ｈとなっている。
【００２２】
タオルの内部には、帯状で略Ｕ字形の第１把持部６０が埋設されている。第１把持部６０は、一対の長尺片部６１が、タオルの一端部１２側の開口から第３隙間１９ｃ及び第５隙間１９ｅの内部に挿入されて先端部６１ａが長手方向中央から他端部１３側の所定位置に位置すると共に、両長尺片部６１の一端を連結する連結片部６２が一端部１２側の開口近傍に位置し、両長尺片部６１の先端部６１ａがタオル生地１０に縫い付けられている。そして、タオルの内部には、帯状で略Ｕ字形の第２把持部７０が埋設されている。第２把持部７０は、一対の長尺片部７１が、タオルの一端部１２側の開口から第１隙間１９ａ及び第８隙間１９ｈの内部に挿入されて先端部７１ａが長手方向中央から一端部１２側の所定位置に位置すると共に、両長尺片部７１の一端を連結する連結片部７２が一端部１２側の開口近傍に位置し、両長尺片部７１の先端部７１ａがタオル生地１０に縫い付けられている。そして、連結片部７２には連結片部６２が縫い付けられている。
【００２３】
また、タオルの内部には、帯状で略Ｕ字形の第３把持部８０が埋設されている。第３把持部８０は、一対の長尺片部８１が、タオルの他端部１３側の開口から第４隙間１９ｄ及び第６隙間１９ｆの内部に挿入されて先端部８１ａが第１把持部６０の先端部６１ａと長手方向中央の間の所定位置に位置すると共に、両長尺片部８１の一端を連結する連結片部８２が他端部１３側の開口近傍に位置し、両長尺片部８１の先端部８１ａがタオル生地１０に縫い付けられている。そして、タオルの内部には、帯状で略Ｕ字形の第４把持部９０が埋設されている。第４把持部９０は、一対の長尺片部９１が、タオルの他端部１３側の開口から第２隙間１９ｂ及び第７隙間１９ｇの内部に挿入されて先端部９１ａが第２把持部７０の先端部７１ａから一端部１２の間の所定位置に位置すると共に、両長尺片部９１の一端を連結する連結片部９２が他端部１３側の開口近傍に位置し、両長尺片部９１の先端部９１ａがタオル生地１０に縫い付けられている。そして、連結片部９２には連結片部８２が縫い付けられている。
なお、第１把持部６０の連結片部６２は第２把持部７０の連結片部７２に縫いつけられると共に第３把持部８０の連結片部８２は第４把持部９０の連結片部９２に縫いつけられているが、これらを縫い付けずに別々に配置してもよい。
【００２４】
以上のように構成した第２の実施形態においては、第１把持部６０の連結片部６２を縫い付けた第２把持部７０の連結片部７２と第３把持部８０の連結片部８２を縫い付けた第４把持部９０の連結片部９２をタオルの長手方向の外側へ引っ張った場合、第１把持部６０の両先端部６１ａ及び第２把持部７０の両先端部７１ａはタオル本体の一端部１２側に引っ張られると共に第３把持部８０の両先端部８１ａ及び第４把持部９０の両先端部９１ａはタオル本体の他端部１３側に引っ張られる。これにより、両先端部６１ａ、８１ａの間及び両先端部７１ａ、９１ａの間のタオル生地１０はそれぞれ図７に示すように寄せ集められて塊となってタオル生地１０の表面から膨出し、２箇所の膨出部分Ｂを形成する。そして、この状態でタオルを背中の左右上下方向に移動させて擦り合わせることにより、２箇所の膨出部分Ｂが背中の凹んだ部分にも接触する。そのため、膨出部分が１箇所に設けられた場合と比べて背中の凹んだ部分を含む全体をよりむらなく洗うことができる。
【００２５】
また、タオルの四隅の縁部１１が曲線状になっており、角状部分がないため、一端部１２及び他端部１３を手で持って背中等を洗う場合に、タオルに含まれた石鹸液等の周囲への飛散が抑えられ、浴室の壁を汚したり、浴槽中の湯を濁したりする不具合を抑制することができる。また、タオル生地１０の四隅の縁部１１を曲線状としたことにより、デザインが斬新となり商品価値が高められる。
【００２６】
なお、タオルの他の例を図８に示す。上記タオル生地１０を２枚重ね合わせて、幅方向の両側及びその近傍位置を長手方向に縫い合わせて４本の縫合部１２０を設けている。縫合部１２０の内の内側の２本については、長手方向中央より一端部１２側及び他端部１３側の所定位置Ｍ、Ｎに非縫合部１２１、１２２を設けている。そして、縫合部１２０の間には一端部１２及び他端部１３に開口する幅方向両側の２つの隙間１２３及び中央の幅広の隙間１２４が設けられている。
【００２７】
タオルの内部には、帯状で枠形状の第１把持部１００が埋設されている。第１把持部１００は、一対の長尺片部１０１が、タオルの一端部１２側の開口から両隙間１２３内部に挿入されて先端部が所定位置Ｍに位置すると共に、先端部間は非縫合部１２１を通って連結片部１０３によって連結されている。そして、両長尺片部１０１の一端側を連結する連結片部１０２が一端部１２側の開口近傍に位置している。また、タオルの内部には、帯状で枠形状の第２把持部１１０が埋設されている。第２把持部１１０は、一対の長尺片部１１１が、タオルの他端部１３側の開口から両隙間１２３内部に挿入されて先端部が所定位置Ｎに位置すると共に、先端部間は非縫合部１２２を通って連結片部１１３によって連結されている。そして、両長尺片部１１１の一端側を連結する連結片部１１２が他端部１３側の開口近傍に位置している。
【００２８】
以上のように構成されたタオルにおいては、連結片部１０２、１１２をそれぞれ長手方向の外側へ引っ張ることにより、連結片部１０３と連結片部１１３の間のタオル生地１０は長手方向の中央に寄せ集められて塊となってタオル生地１０の表面から膨出する。かかる膨出部分により背中の凹んだ部分を含む全体をむらなく洗うことができる。また、タオルの四隅の縁部１１が曲線状になっているため、石鹸液等の周囲への飛散を抑制でき、また、商品価値が高められる。
【００２９】
なお、上記第１の実施形態とその変形例及び第２の実施形態に示したタオルについては各把持部を帯状としているが、これに限らず、紐状等にしても良く、これらの連結片部の配置についてもタオル本体の内部でなく外部に設けても良い。また、把持部の素材としては、表面の滑らかなシャワーカーテン地等を用いることで、把持部の引っ張りやタオル内部への収納を円滑に行うことができる。
【図面の簡単な説明】
【図１】本発明の参考例であるタオルを示す平面図である。
【図２】同タオルの縁部の変形例を示す拡大図である。
【図３】第１の実施形態であるタオルを示す平面図である。
【図４】同タオルの使用例を示す平面図である。
【図５】変形例であるタオルの使用例を示す平面図である。
【図６】第２の実施形態であるタオルを示す平面図である。
【図７】同タオルの使用例を示す平面図である。
【図８】他の例であるタオルを示す平面図である。
【符号の説明】
１０…タオル、１１…縁部、１２…一端部、１３…他端部、１４、１８…縫合部、１５、１９…隙間、１５ａ…第１隙間、１５ｂ…第２隙間、１５ｃ…第３隙間、１５ｄ…第４隙間、１９ａ…第１隙間、１９ｂ…第２隙間、１９ｃ…第３隙間、１９ｄ…第４隙間、１９ｅ…第５隙間、１９ｆ…第６隙間、１９ｇ…第７隙間、１９ｈ…第８隙間、２０…第１把持部、２１ａ、３１ａ…先端部、２１、３１…長尺片部、２２、３２…連結片部、３０…第２把持部、Ａ…膨出部分、６０…第１把持部、６１ａ、７１ａ、８１ａ、９１ａ…先端部、６１、７１、８１、９１…長尺片部、６２、７２、８２、９２…連結片部、７０…第２把持部、８０…第３把持部、９０…第４把持部、Ｂ…膨出部分、１００…第１把持部、１０１、１１１…長尺片部、１０２、１０３、１１２、１１３…連結片部、１１０…第２把持部、１２０…縫合部、１２１、１２２…非縫合部、１２３，１２４…隙間、Ｍ、Ｎ…所定位置。
【図１】
0003813739.tif 000002
【図２】
0003813739.tif 000003
【図３】
0003813739.tif 000004
【図４】
0003813739.tif 000005
【図５】
0003813739.tif 000006
【図６】
0003813739.tif 000007
【図７】
0003813739.tif 000008
【図８】
0003813739.tif 000009